【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
歯間クリーナを形成するように構成されるボディであって、前記ボディは、
周辺部を有するハンドル部分と、
前記ハンドル部分から延びる細長いクリーニングボディ部分と、
前記ハンドル部分と前記クリーニングボディ部分との間にテーパーづけられた移行部とを備え、
前記ハンドル部分は、前記ハンドル部分の前記周辺部に少なくとも部分的に沿って延びる外リムを備え、前記ハンドル部分の前記外リムは、コーティング材料を受容するように構成される少なくとも１つのハンドル部分凹所を定義し、前記移行部は２つの反対の側縁部を有し、前記側縁部は、前記側縁部に少なくとも部分的に沿って延びるそれぞれの外リムを有し、前記移行部の前記外リムは、前記コーティング材料を受容するように構成される移行部凹所を定義し、
前記クリーニングボディ部分、前記移行部、および前記ハンドル部分は、前記コーティング材料とは異なるボディ材料を含み、
前記クリーニングボディ部分は、前記テーパーづけられた移行部から延びる近位端部分および遠位端部分を有し、前記クリーニングボディ部分は、前記近位端部分と前記遠位端部分との間で前記クリーニングボディ部分の長さに沿って間隔を置かれ、前記クリーニングボディ部分から半径方向外側に延びるブラシ部材とともに前記コーティング材料から形成されるブラシ部材を有するクリーニング領域を定義するように構成され、
前記ハンドル部分、前記テーパーづけられた移行部、および前記クリーニングボディ部分は、前記テーパーづけられた移行部の前記外リムにおけるギャップを通して少なくとも１つのハンドル部分凹所から前記ブラシ部材まで連続的に延びるコーティング材料を有するように構成される、ボディ。
【請求項２】
前記ハンドル部分の前記外リムは、前記ハンドル部分から２つの反対の方向において突出し、これにより、前記ハンドル部分の第１の側上に第１の凹所が定義され、前記ハンドル部分の第２の側上に第２の凹所が定義され、前記第１および第２の凹所は前記コーティング材料を受容するように構成される、請求項１に記載のボディ。
【請求項３】
前記ハンドル部分の前記外リムは、前記移行部の前記外リムに接続し、前記ハンドル部分の前記外リムおよび前記移行部の前記外リムは、前記ハンドル部分および前記移行部に亘って延びる共通の凹所を定義し、前記共通の凹所は前記コーティング材料を受容するように構成される、請求項１に記載のボディ。
【請求項４】
前記移行部の前記外リムは、前記移行部の前記側縁部で２つの反対の方向において突出し、これにより、前記移行部の第１の側上に第１の凹所が定義され、前記移行部の第２の側上に第２の凹所が定義され、前記第１および第２の凹所は前記コーティング材料を受容するように構成される、請求項３に記載のボディ。
【請求項５】
前記ハンドル部分および前記クリーニングボディ部分は、１部品の熱可塑性プラスチック材料において形成される、請求項１に記載のボディ。
【請求項６】
前記ハンドル部分、前記移行部および前記クリーニングボディ部分は、１部品の熱可塑性プラスチック材料において形成される、請求項１に記載のボディ。
【請求項７】
前記ハンドル部分は、前記ハンドル部分の前記外リムによって囲まれる２つの反対の実質的に平坦な掴み面を定義する実質的に矩形断面を有する、請求項１に記載のボディ。
【請求項８】
前記ハンドル部分および前記移行部の軸方向長さは、前記ボディの軸方向全長の４５〜６５％の範囲にある、請求項１に記載のボディ。
【請求項９】
前記クリーニングボディ部分の軸方向長さは、前記ボディの軸方向全長の３５〜５５％の範囲にある、請求項１に記載のボディ。
【請求項１０】
歯間クリーナであって、
ボディを備え、前記ボディは、
周辺部を有するハンドル部分と、
前記ハンドル部分から延びる近位端部分および遠位端部分を有する細長いクリーニングボディ部分と、を含み、
前記ハンドル部分は、前記ハンドル部分の前記周辺部に少なくとも部分的に沿って延びる外リムを備え、前記ハンドル部分の前記外リムは、コーティング材料を受容するように構成される少なくとも１つのハンドル部分凹所を定義し、
前記コーティング材料は、前記クリーニングボディ部分を被覆するゴム材料を備え、前記ハンドル部分は、前記ゴム材料によって少なくとも部分的に被覆され、
前記クリーニングボディ部分を被覆するゴム材料は、前記近位端部分と前記遠位端部分との間で前記クリーニングボディ部分の長さに沿って間隔を置かれ、前記クリーニングボディ部分から半径方向外側に延びるブラシ部材を定義し、
前記ゴム材料は、前記外リムにおけるギャップを通して少なくとも１つのハンドル部分凹所から前記ブラシ部材まで連続的に延びる、歯間クリーナ。
【請求項１１】
前記ハンドル部分と前記クリーニングボディ部分との間にテーパーづけられた移行部をさらに備え、前記移行部は、前記ゴム材料によって少なくとも部分的に被覆される、請求項１０に記載の歯間クリーナ。
【請求項１２】
前記ハンドル部分、前記移行部および前記クリーニングボディ部分は、１部品の熱可塑性プラスチック材料において形成される、請求項１０に記載の歯間クリーナ。
【請求項１３】
歯間クリーナであって、
ボディを備え、前記ボディは、
周辺部を有するハンドル部分と、
前記ハンドル部分から延びる近位端部分および遠位端部分を有する細長いクリーニングボディ部分と、を含み、
前記ハンドル部分は、前記ハンドル部分の前記周辺部に少なくとも部分的に沿って延びる外リムを備え、前記ハンドル部分の前記外リムは、前記クリーニングボディ部分を被覆するコーティング材料を受容するように構成される少なくとも１つのハンドル部分凹所を定義し、
前記ハンドル部分は、前記コーティング材料によって少なくとも部分的に被覆され、
前記ハンドル部分および前記細長いクリーニングボディ部分はボディ材料を含み、前記コーティング材料は、前記ボディ材料に比べてより柔軟であり、
前記細長いクリーニングボディ部分を被覆する前記コーティング材料は、前記近位端部分と前記遠位端部分との間で前記細長いクリーニングボディ部分の長さに沿って間隔を置かれ、前記細長いクリーニングボディ部分から半径方向外側に延びるブラシ部材を定義し、
前記コーティング材料は、前記外リムにおけるギャップを通して少なくとも１つのハンドル部分凹所から前記ブラシ部材まで連続的に延びる、歯間クリーナ。
【請求項１４】
前記ハンドル部分および前記クリーニングボディ部分は、１部品の熱可塑性プラスチック材料において形成される、請求項１３に記載の歯間クリーナ。
【請求項１５】
歯間クリーナを形成するように構成されるボディであって、前記ボディは、
周辺部を有するハンドル部分と、
前記ハンドル部分から延びる細長いクリーニングボディ部分と、
前記ハンドル部分と前記クリーニングボディ部分との間の移行部であって、前記移行部は２つの反対の側縁部を有する、移行部とを備え、
前記ハンドル部分、前記移行部および前記細長いクリーニングボディ部分は、ボディ材料から１部品に作られ、
前記移行部は、前記ハンドル部分から前記クリーニングボディ部分までテーパーづけられ、前記ハンドル部分は、前記ハンドル部分の前記周辺部に少なくとも部分的に沿って延びる外リムを備え、前記移行部の前記反対の側縁部は、前記側縁部に少なくとも部分的に沿って延びるそれぞれの外リムを有し、前記外リムは、前記ハンドル部分および前記移行部に亘って延びる共通の凹所を定義し、前記共通の凹所は、前記ボディ材料に比べてより柔軟なコーティング材料を受容するように構成され、
前記クリーニングボディ部分は、前記移行部から延びる近位端部分および遠位端部分を有し、前記クリーニングボディ部分は、前記近位端部分と前記遠位端部分との間で前記クリーニングボディ部分の長さに沿って間隔を置かれ、前記クリーニングボディ部分から半径方向外側に延びるブラシ部材とともに前記コーティング材料から形成されるブラシ部材を有するクリーニング領域を定義するように構成され、
前記ハンドル部分、前記移行部、および前記クリーニングボディ部分は、前記移行部の前記外リムにおけるギャップを通して前記共通の凹所から前記ブラシ部材まで連続的に延びるコーティング材料を有するように構成される、ボディ。
【請求項１６】
ボディを備える歯間クリーナであって、前記ボディは、
周辺部を有するハンドル部分と、
前記ハンドル部分から延びる細長いクリーニングボディ部分と、
前記ハンドル部分と前記クリーニングボディ部分との間の移行部であって、前記移行部は２つの反対の側縁部を有する、移行部とを含み、
前記ハンドル部分、前記移行部および前記細長いクリーニングボディ部分は、１部品のボディ材料から作られ、前記移行部は、前記ハンドル部分から前記クリーニングボディ部分までテーパーづけられ、前記ハンドル部分は、前記ハンドル部分の前記周辺部に沿って延びる外リムを備え、前記移行部の前記反対の側縁部は、前記側縁部に少なくとも部分的に沿って延びるそれぞれの外リムを有し、前記外リムは、前記ハンドル部分および前記移行部に亘って延びる共通の凹所を定義し、前記共通の凹所は、前記ボディ材料に比べてより柔軟なコーティング材料によって少なくとも部分的に満たされ、
前記クリーニングボディ部分は、前記移行部から延びる近位端部分および、前記近位端部分と前記遠位端部分との間で前記クリーニングボディ部分の長さに沿って間隔を置かれ、前記クリーニングボディ部分から半径方向外側に延びるブラシ部材とともに前記コーティング材料から形成されるブラシ部材を有するクリーニング領域を定義するように構成される遠位端部分を有し、
前記コーティング材料は、前記移行部の前記外リムにおけるギャップを通して前記共通の凹所から前記ブラシ部材まで連続的に延びる、歯間クリーナ。
【請求項１７】
前記コーティング材料はゴム材料である、請求項１６に記載の歯間クリーナ。
【請求項１８】
前記ボディ材料はプラスチック材料を含む、請求項１６に記載の歯間クリーナ。
【請求項１９】
前記ボディ材料は熱可塑性プラスチック材料を含む、請求項１６に記載の歯間クリーナ。
【請求項２０】
前記コーティング材料は弾性材料を含む、請求項１６に記載の歯間クリーナ。
【請求項２１】
歯間クリーナであって、
ボディを備え、前記ボディは、
周辺部を有するハンドル部分と、
前記ハンドル部分から延びる近位端部分および遠位端部分を有する細長いクリーニングボディ部分と、を含み、
前記ハンドル部分は、前記ハンドル部分の前記周辺部に少なくとも部分的に沿って延びるリム部分を備え、前記ハンドル部分の前記リム部分は、前記クリーニングボディ部分を被覆するコーティング材料を受容するように構成される少なくとも１つのハンドル部分凹所を定義し、前記ハンドル部分は、前記コーティング材料によって少なくとも部分的に被覆され、
前記ハンドル部分および前記細長いクリーニングボディ部分はボディ材料を含み、前記コーティング材料は、前記ボディ材料に比べてより柔軟であり、
前記クリーニングボディ部分を被覆する前記コーティング材料は、前記近位端部分と前記遠位端部分との間で前記クリーニングボディ部分の長さに沿って間隔を置かれ、前記クリーニングボディ部分から半径方向外側に延びるブラシ部材を定義し、
前記コーティング材料は、前記リム部分におけるギャップを通して少なくとも１つのハンドル部分凹所から前記ブラシ部材まで連続的に延びる、歯間クリーナ。
【請求項２２】
前記ハンドル部分および前記クリーニングボディ部分は、熱可塑性プラスチック材料の１部品において形成される、請求項２１に記載の歯間クリーナ。
【請求項２３】
歯間クリーナであって、
ボディを備え、前記ボディは、
周辺部を有するハンドル部分と、
前記ハンドル部分から延びる近位端部分および遠位端部分を有する細長いクリーニングボディ部分と、を含み、
前記ハンドル部分は、前記ハンドル部分の前記周辺部に少なくとも部分的に沿って延びるリムセクションを備え、前記ハンドル部分の前記リムセクションは、前記クリーニングボディ部分を被覆するコーティング材料を受容するように構成される少なくとも１つのハンドル部分凹所を定義し、前記ハンドル部分は、前記コーティング材料によって少なくとも部分的に被覆され、
前記ハンドル部分および前記細長いクリーニングボディ部分はボディ材料を含み、前記コーティング材料は、前記ボディ材料に比べてより柔軟であり、
前記クリーニングボディ部分を被覆する前記コーティング材料は、前記近位端部分と前記遠位端部分との間で前記クリーニングボディ部分の長さに沿って間隔を置かれ、前記クリーニングボディ部分から半径方向外側に延びるブラシ部材を定義し、
前記コーティング材料は、前記リムセクションにおけるギャップを通して少なくとも１つのハンドル部分凹所から前記ブラシ部材まで連続的に延びる、歯間クリーナ。
【請求項２４】
前記ハンドル部分および前記クリーニングボディ部分は、熱可塑性プラスチック材料の１部品において形成される、請求項２３に記載の歯間クリーナ。
【請求項２５】
歯間クリーナであって、
ボディを備え、前記ボディは、
周辺部を有するハンドル部分と、
前記ハンドル部分から延びる近位端部分および遠位端部分を有する細長いクリーニングボディ部分と、を含み、
前記ハンドル部分は、前記ハンドル部分の前記周辺部に少なくとも部分的に沿って延びるリム要素を備え、前記ハンドル部分の前記リム要素は、前記クリーニングボディ部分を被覆するコーティング材料を受容するように構成される少なくとも１つのハンドル部分凹所を定義し、前記ハンドル部分は、前記コーティング材料によって少なくとも部分的に被覆され、
前記ハンドル部分および前記細長いクリーニングボディ部分はボディ材料を含み、前記コーティング材料は、前記ボディ材料に比べてより柔軟であり、
前記クリーニングボディ部分を被覆する前記コーティング材料は、前記近位端部分と前記遠位端部分との間で前記クリーニングボディ部分の長さに沿って間隔を置かれ、前記クリーニングボディ部分から半径方向外側に延びるブラシ部材を定義し、
前記コーティング材料は、前記リム要素におけるギャップを通して少なくとも１つのハンドル部分凹所から前記ブラシ部材まで連続的に延びる、歯間クリーナ。
【請求項２６】
前記ハンドル部分および前記クリーニングボディ部分は、熱可塑性プラスチック材料の１部品において形成される、請求項２５に記載の歯間クリーナ。
【請求項２７】
歯間クリーナを形成するように構成されるボディであって、前記ボディは、
周辺部を有するハンドル部分と、
前記ハンドル部分から延びる近位端部分および遠位端部分を有する細長いクリーニングボディ部分と、を備え、
前記ハンドル部分は、前記ハンドル部分の前記周辺部に少なくとも部分的に沿って延びる外リムを備え、前記ハンドル部分の前記外リムは、前記クリーニングボディ部分を被覆するコーティング材料を受容するように構成される少なくとも１つのハンドル部分凹所を定義し、前記ハンドル部分は、前記コーティング材料によって少なくとも部分的に被覆され、
前記ハンドル部分および前記細長いクリーニングボディ部分はボディ材料を含み、前記コーティング材料は、前記ボディ材料に比べてより柔軟であり、
前記細長いクリーニングボディ部分を被覆する前記コーティング材料は、前記近位端部分と前記遠位端部分との間で前記細長いクリーニングボディ部分の長さに沿って間隔を置かれ、前記細長いクリーニングボディ部分から半径方向外側に延びるブラシ部材を定義し、
前記コーティング材料は、前記外リムにおけるギャップを通して少なくとも１つのハンドル部分凹所から前記ブラシ部材まで連続的に延びる、ボディ。
【請求項２８】
前記クリーニングボディ部分は、使用時に、前記歯間クリーナの残りの部分に対して角度付けられる、請求項１０、１３、１６、２１、２３、２５のいずれか１項に記載の歯間クリーナ。